(57)【特許請求の範囲】
【請求項１】
遊技に使用可能なカードを挿入するカード挿入口と、該カード挿入口から挿入されたカードを搬送するカード搬送手段と、挿入されたカードに記録された情報を読み取るカード読取手段と、を少なくとも備えた遊技機用カード処理機において、
該遊技機用カード処理機には、そのケース裏側に前記カード挿入口から挿入されたカードを回収するカード回収口を形成し、
前記カードの残高が零となったときに当該カードを前記カード挿入口側に搬送する戻し動作と前記カード回収口側に搬送する回収動作とのいずれの動作を前記カード搬送手段により実行するかを選択する搬送モード選択手段と、
前記カードの残高が零となったときに、前記搬送モード選択手段による選択に応じた動作を前記カード搬送手段に実行させる制御部と、
前記カード回収口が閉塞されているか否かを検出する回収口検出手段と、を備え、
前記搬送モード選択手段は、前記回収口検出手段の検出信号に基づいて、前記カード回収口が閉塞されているときには戻し動作を選択し、前記カード回収口が閉塞されていないときには回収動作を選択することを特徴とする遊技機用カード処理機。
【請求項２】
遊技者の貸与操作に応じて、遊技に供する遊技価値を貸与する制御を行う貸与制御部と、１回の貸与操作に応じて前記遊技価値の貸与のために前記カードの残高から消費される金額を設定する金額設定手段と、当該遊技機用カード処理機に接続される遊技機がパチンコ遊技機かスロットマシンかを選択する遊技機選択手段と、がさらに設けられ、
前記貸与制御部は、前記貸与操作があったときに、前記遊技機選択手段で選択された遊技機がパチンコ遊技機である場合には、前記金額設定手段により設定された金額に対応する遊技価値を貸与する制御を行い、前記遊技機選択手段で選択された遊技機がスロットマシンである場合には、前記金額設定手段により設定された金額を無効として予め固定の金額に対応する遊技価値を貸与する制御を行うことを特徴とする請求項１記載の遊技機用カード処理機。
【請求項３】
前記カード搬送手段は、前記回収動作において前記残高が零となったカードが前記カード回収口から排出されない搬送量の搬送を行い、当該カードの次に回収動作されるカードに押されて当該カードが前記カード回収口から排出されるように構成されてなることを特徴とする請求項１又は請求項２記載の遊技機用カード処理機。
【発明の詳細な説明】
【０００１】
【産業上の利用分野】
本発明は、遊技に使用可能なカードを挿入するカード挿入口と、該カード挿入口から挿入されたカードを搬送するカード搬送手段と、挿入されたカードに記録された情報を読み取るカード読取手段と、を少なくとも備えた遊技機用カード処理機に関するものである。
【０００２】
【従来の技術】
近年、遊技機で使用するパチンコ玉やメダル等の遊技価値をプリペイドカードで購入する遊技機用カード処理機を設置する遊技場が徐々に増加しつつある。しかして、このようなカード処理機で使用されるカードの価値が零となった場合には、該カードを遊技者に返却するものが一般的であった。しかしながら、価値が零となったカードが返却されても、遊技者は、そのまま放置したり、遊技場内に捨てたりするため、結局、遊技場の店員が拾い集めなければならないという不都合があった。このような不都合を解消するために、零カードをカード処理機の内部に回収するカード処理機も提案されているが、回収したカードを処理するための機構を設置する必要があるため、コストが高くなるという欠点がある。
【０００３】
【発明が解決しようとする課題】
このように、零カード返却式のカード処理機も零カード回収式のカード処理機も一長一短があるものの、いずれか一方の方式しか選択できず、例えば、返却式のカード処理機から回収式のカード処理機に変更する場合、カード処理機そのものを交換しなければならず、不経済であるという問題があった。本発明は、上記した問題点に鑑みなされたもので、その目的とするところは、零カードを遊技者に返却する方式と機内に回収する方式のいずれにも使用できる遊技機用カード処理機を提供することにある。
【０００４】
【課題を解決するための手段】
上記した目的を達成するために、請求項１に係る発明においては、遊技に使用可能なカードを挿入するカード挿入口と、該カード挿入口から挿入されたカードを搬送するカード搬送手段と、挿入されたカードに記録された情報を読み取るカード読取手段と、を少なくとも備えた遊技機用カード処理機において、該遊技機用カード処理機には、そのケース裏側に前記カード挿入口から挿入されたカードを回収するカード回収口を形成し、前記カードの残高が零となったときに当該カードを前記カード挿入口側に搬送する戻し動作と前記カード回収口側に搬送する回収動作とのいずれの動作を前記カード搬送手段により実行するかを選択する搬送モード選択手段と、前記カードの残高が零となったときに、前記搬送モード選択手段による選択に応じた動作を前記カード搬送手段に実行させる制御部と、前記カード回収口が閉塞されているか否かを検出する回収口検出手段と、を備え、前記搬送モード選択手段は、前記回収口検出手段の検出信号に基づいて、前記カード回収口が閉塞されているときには戻し動作を選択し、前記カード回収口が閉塞されていないときには回収動作を選択することを特徴とするものである。
また、請求項２に係る発明においては、請求項１記載の遊技機用カード処理機において、遊技者の貸与操作に応じて、遊技に供する遊技価値を貸与する制御を行う貸与制御部と、１回の貸与操作に応じて前記遊技価値の貸与のために前記カードの残高から消費される金額を設定する金額設定手段と、当該遊技機用カード処理機に接続される遊技機がパチンコ遊技機かスロットマシンかを選択する遊技機選択手段と、がさらに設けられ、前記貸与制御部は、前記貸与操作があったときに、前記遊技機選択手段で選択された遊技機がパチンコ遊技機である場合には、前記金額設定手段により設定された金額に対応する遊技価値を貸与する制御を行い、前記遊技機選択手段で選択された遊技機がスロットマシンである場合には、前記金額設定手段により設定された金額を無効として予め固定の金額に対応する遊技価値を貸与する制御を行うことを特徴とするものである。
更に、請求項３に係る発明においては、請求項１又は請求項２記載の遊技機用カード処理機において、前記カード搬送手段は、前記回収動作において前記残高が零となったカードが前記カード回収口から排出されない搬送量の搬送を行い、当該カードの次に回収動作されるカードに押されて当該カードが前記カード回収口から排出されるように構成されてなることを特徴とするものである。
【０００５】
【作用】
カード回収口が閉塞されているか否かを検出する回収口検出手段の検出信号に基づいて、カード回収口が閉塞されているときには戻し動作を選択し、カード回収口が閉塞されていないときには回収動作を選択する搬送モード選択手段を設けたので、カード回収口が閉塞されている場合には、零カードが遊技者に返却され、一方、カード回収口が閉塞されていない場合には、零カードが回収される。したがって、いずれの方式のカード処理機にも適用することができる。また、遊技機選択手段で選択された遊技機がパチンコ遊技機である場合に、金額設定手段により設定された金額に対応する遊技価値を貸与することができ、遊技機選択手段で選択された遊技機がスロットマシンである場合に、金額設定手段により設定された金額を無効として予め固定の金額に対応する遊技価値を貸与することができる。更に、内部に残存するカードの回収する場合、当該カードの次に回収動作されるカードに押されて当該カードをカード回収口から排出させることができる。
【０００６】
【実施例】
以下、図面を参照して、本発明の実施例について説明する。まず、図１０乃至図１４を参照して実施例に係る遊技機の一例としてのパチンコ遊技機１の全体の構成について説明する。図１０は、パチンコ遊技機１の正面図であり、図１１は、パチンコ遊技機１の背面に設けられる機構板３０の背面図であり、図１２は、機構板３０に設けられる景品玉払出装置３６の分解斜視図であり、図１３は、景品玉払出装置３６の側方断面図であり、図１４は、景品玉払出装置３６の正面断面図である。図１０において、パチンコ遊技機１は、周知のように額縁状に形成された前面枠２を有し、該前面枠２の額縁状の開口には、扉保持枠３が周設され、該扉保持枠３の上部にガラス板を有するガラス扉枠４が、その下部に打球供給皿６を有する前面扉板５がそれぞれ開閉自在に設けられている。また、前面枠２下部の表面には、前記打球供給皿６から溢れた余剰の景品玉を貯留する余剰玉受皿１５が設けられると共に、打球を発射する操作ハンドル１６も設けられている。更に、前面枠２には、その上部に遊技状態が予め定めた特定遊技状態となったときに点灯又は点滅する遊技効果ランプ１７が設けられると共に、その開放側側部には、図示しない施錠装置の錠の周囲を装飾する錠飾りが設けられ、その錠飾りの内部に打球の発射動作が行われてパチンコ遊技機１が稼働中であることを表示する稼働ランプ１８が内蔵されている。
【０００７】
上記した打球供給皿６について、さらに詳細に説明すると、打球供給皿６は、その上流側に形成される景品玉払出口７ａとその下流側に形成される供給口７ｂとを連絡するように貯留整列路８が形成されており、その貯留整列路８の中程底面裏面に玉検出器９が設けられている。この玉検出器９は、打球供給皿６に残留する打玉を検出するものである。なお、打球供給皿６の上流側下部空間には、効果音を発生するスピーカ１４が内蔵されている。
【０００８】
また、打球供給皿６には、パチンコ遊技機１に隣接して設けられるカード処理機７０を介して遊技玉を借り受ける際に操作する操作部が設けられている。操作部として貸出スイッチ１０と返却スイッチ１２とモード切換スイッチ１３とが設けられ、また、その貸出スイッチ１０と返却スイッチ１２の間に度数表示ＬＥＤ１１が設けられている。貸出スイッチ１０は、カード処理機７０によって遊技玉を借り受ける際に操作するものであり、返却スイッチ１２は、遊技終了の際にカード処理機７０のカード挿入口７７に差し込まれたカードを返却するためのものである。なお、カードがカード挿入口７７に差し込まれていることは、カード処理機７０に設けられるカード挿入中表示ランプ７６が点灯していることにより分かる。また、度数表示ＬＥＤ１１は、カード処理機７０のカード挿入口７７に差し込まれたカードの残額が表示されるものであるが、後述するように種々の情報も表示されるようになっている。また、モード切換スイッチ１３は、借り受けるべき遊技玉を前記貸出スイッチ１０を操作して行うマニュアルモードと、打球供給皿６の打玉の残量が前記玉検出器９によって検出されなくなったときに自動的に遊技玉を払い出す自動モードと、のいずれかのモードに設定するものである。
【０００９】
ところで、前記ガラス扉枠５の後方であって前面枠２の裏面には、遊技盤２０が着脱自在に取り付けられている。この遊技盤２０には、打玉を誘導する誘導レール２１がほぼ円状に設けられ、この誘導レール２１に囲まれる内側範囲が遊技領域２２を構成し、この遊技領域２２に可変表示装置２３や開閉板２６を有する可変入賞球装置２５及び始動入賞口２４等の遊技装置が配置されるものである。そして、これらの遊技装置によって特定遊技状態が発生して多量の入賞玉を獲得できる遊技を楽しむことができるものである。
【００１０】
上記のように構成されるパチンコ遊技機１の側方に設けられるカード処理機７０は、図１０に示されるように、ケース７１の前面において、カードの使用情報を店内のコンピュータに光通信で送る光通信部７２と、使用可能状態であるか否かを表示する利用可表示ランプ７３と、カード内に記録された残額情報に端数（１００円未満の数）が存在する場合にその端数を前記度数表示ＬＥＤ１１に表示させるための端数スイッチ７４と、当該カード処理機７０がいずれの側のパチンコ遊技機１に対応しているか否かを表示する連結台方向表示器７５と、カードがカード処理機７０内に投入中であることを表示するカード挿入中表示ランプ７６と、記録媒体としての磁気カードを挿入するカード挿入口７７と、カード処理機７０の故障修理終了後に操作してリセットするためのスイッチ用キー７８と、が設けられている。そして、このように構成されるカード処理機７０は、独自の制御回路によって制御されるものであるが、パチンコ遊技機１側に設けられる前記スイッチ１０、１２、１３、度数表示ＬＥＤ１１や、後述する払出制御回路基板ボックス４６内の回路基板とを接続する必要があるためパチンコ遊技機１の裏面に設けられる後述する機構板３０には、インターフェース基板（図示しない）が設けられている。なお、カード処理機７０をパチンコ遊技機１に内蔵しても良い。また、カード処理機７０の詳細な説明は、後述する。
【００１１】
次に、パチンコ遊技機１の背面に設けられる機構板３０の構成について説明する。図１１において、機構板３０は、周知のように前記遊技盤２０で発生した入賞玉を１個ずつ処理して所定数の景品玉を払い出すための各種の機構が設けられるものである。しかして、機構板３０の後面上部には、景品玉を貯留する玉タンク３１と該玉タンク３１に貯留された景品玉を下流側に整列しながら誘導する玉整列レール３２とが設けられ、その玉整列通路３２の下流側にカーブ樋３３及び通路体３５を介して景品玉払出装置３６が設けられている。なお、カーブ樋３３の屈曲部には、玉抜き処理された景品玉がパチンコ遊技機１の外に排出される玉抜き通路３４の上端が連通されている。また、景品玉払出装置３６は、入賞玉の発生に基づいて所定個数の景品玉を払い出すと共に、前記貸出スイッチ１０の操作に基づく遊技玉の払出動作をも行うものである。
【００１２】
そこで、景品玉払出装置３６の構成について図１２乃至図１４を参照して説明すると、景品玉払出装置３６のケース５０は、図１２に示すように、左右２つに分割形成され、それぞれの分割ケース５０ａ，５０ｂに玉供給路５２ａ，５２ｂが形成されている。玉供給路５２ａ，５２ｂは、その内部で湾曲面５３ａ，５３ｂとなって後方に向かって湾曲しており、その湾曲面５３ａ，５３ｂの終端の下方に玉送り水平路５５ａ，５５ｂが形成され、さらに玉送り水平路５５ａ，５５ｂの終端に玉排出路５４ａ，５４ｂが形成されている。これらの玉供給路５２ａ，５２ｂ、玉送り水平路５５ａ，５５ｂ、及び玉排出路５４ａ，５４ｂは、分割ケース５０ａ，５０ｂを前後に区画する区画壁６６ａ，６６ｂの前方に形成されている。また、分割ケース５０ａ，５０ｂの前方には、玉圧緩衝部材５６が挾持されるようになっている。この玉圧緩衝部材５６は、前記通路体３５の景品玉通路から供給される景品玉を、図１４に示すように、左右側方に振り分けて玉供給路５２ａ，５２ｂに誘導すると共に、その下方部に発光素子５７（ＬＥＤ）と受光素子５８とが設けられている。発光素子５７と受光素子５８とは、所定の間隔を空けて設けられ、この間隔内に次に説明するスクリュー５９の先端が挿入されるようになっている。なお、玉圧緩衝部材５６は、分割ケース５０ａ，５０ｂを張り合せたときに、完全に内部に収納固定されるようになっている。
【００１３】
また、前記玉送り水平路５５ａ，５５ｂの間には、ステッピングモータ６０によって回転せしめられるスクリュー５９が配置される。すなわち、区画壁６６ａ，６６ｂの後方に形成される固定溝６２ａ，６２ｂにステッピングモータ６０を固定するモータ固定板６１を嵌合固定し、ステッピングモータ６０のモータ軸を区画壁６６ａ，６６ｂの前方に突出させて、その突出前方にスクリュー５９が固定されるものである。スクリュー５９の外周には、ステッピングモータ６０の回転により玉送り水平路５５ａ，５５ｂに載置された景品玉を前方に移動せしめるような螺旋突起５９ａが突設されると共に、スクリュー５９の先端には、前記発光素子５７を被覆する凹部が形成され、その凹部に２つの切欠部６３が形成されている。この切欠部６３は、１８０度の対称位置に形成されているので、スクリュー５９が一回転する間に、発光素子５７からの光が切欠部６３を介して２回受光素子５８によって検出されるようになっている。なお、前記発光素子５７、受光素子５８、及びステッピングモータ６０からの配線６４は、まとめられてケース９８の後部下方に形成された引出穴から外部に引き出されてコネクタ６５に結線される。
【００１４】
上記のように構成される景品玉払出装置３６においては、玉供給路５２ａ，５２ｂから供給される景品玉が玉送り水平路５５ａ，５５ｂの後端部に供給された位置で停止された状態において、ステッピングモータ６０が回転を開始すると、スクリュー５９の螺旋突起５９ａにより景品玉が玉送り水平路５５ａ，５５ｂ上を前方に向かって移動し、遂には、玉送り水平路５５ａ，５５ｂの終端から玉排出路５４ａ，５４ｂに向けて落下する。このとき、左右の玉送り水平路５５ａと５５ｂからの景品玉の落下は、交互に行われるが、この交互の落下は、スクリュー５９が半回転する毎に一方から１個の景品玉が落下するので、結局１個の景品玉が落下する毎に発光素子５７からの光が受光素子５８によって検出されることになる。このため、受光素子５８によって検出された信号数が予め定めた景品玉数（１個の入賞に対応する）又は遊技玉数（１回の貸出スイッチ１０の操作）に到達したときにステッピングモータ６０の駆動を停止するように制御することにより、正確に入賞に対応する景品玉又は一操作に対する遊技玉を払い出すことができる。
【００１５】
上記のように構成される景品玉払出装置３６の下流側には、景品玉払出通路３７が形成され、該景品玉払出通路３７の下端に上皿連通口３８が形成されている。この上皿連通口３８は、パチンコ遊技機１の前面に設けられる打球供給皿６に景品玉を導くものである。また、上皿連通口３８の側方には、連絡通路３９が接続され、該連絡通路３９の末端に余剰玉通路４０が接続されている。しかして、入賞に基づく景品玉が多数払い出されて打球供給皿６が景品玉で満杯となり、遂には上皿連通口３８に到達してさらに景品玉が払出続けられたときには、景品玉は連絡通路３９を介して余剰玉通路４０に導かれ、その後、図示しない接続樋を介して前記余剰玉受皿１５に排出される。
【００１６】
一方、機構板３０の下部前面側には、入賞玉を一か所に集合せしめる入賞玉集合樋４１が形成され、該入賞玉集合樋４１の流下端に入賞玉処理装置４２が設けられている。入賞玉処理装置４２は、先頭の入賞玉を検出する入賞玉検出器４５と、該入賞玉検出器４５の上下で入賞玉を１個ずつ通過制御する玉送り部材４４と、該玉送り部材４４を駆動するソレノイド４３とから構成され、入賞玉検出器４５が入賞玉を検出すると前記景品玉払出装置３６が駆動され、その景品玉払出装置３６が所定数の景品玉の払出を終了すると、ソレノイド４３がＯＮされて、当該入賞玉が入賞玉検出器４５を通過するように玉送り部材４４が揺動し、入賞玉の通過が完了するとソレノイド４３がＯＦＦとされて、次の入賞玉を入賞玉検出器４５に受け入れて、以後上記した動作を繰り返す。
【００１７】
機構板３０には、上記した構成以外に、機構板３０の下部一側に前記入賞玉処理装置４２及び景品玉払出装置３６の動作を制御する景品玉払出制御基板を収納する払出制御回路基板ボックス４６が取り付けられ、また、一点鎖線で示す遊技制御回路基板４７が取り付けられ、更に、機構板３０の上部一側にターミナル基板４８が設けられる。このターミナル基板４８は、外部電源供給線が接続される電源コネクタ、電源スイッチ、外部（例えば、管理コンピュータ）とパチンコ遊技機１との間の信号線を接続する玉切れ情報出力端子と発射制御信号入力端子と玉貸情報出力端子と補給情報出力端子等が設けられたプリント配線基板によって構成されるものである。
【００１８】
次に、本実施例の要部を構成するカード処理機７０の詳細な構造について、図１乃至図４を参照して説明する。図１は、カード処理機７０の正面図、内部構造を示す側面図、背面図であり、図２は、カード処理機７０内部に設けられるカードリードライタ１００の内部構造を示す側面図であり、図３は、カード処理機７０を遊技機設置島１３０に設置して零カードを回収する構造を説明する斜視図であり、図４は、カード処理機７０の背面に零カードを回収する回収ボックス１３４を取り付けた状態を示す側面図である。
【００１９】
図１に示すように、カード処理機７０は、薄型ボックス状のケース７１内に集約して設けられ、そのケース７１の前面に、前記したように光通信部７２、利用可表示ランプ７３、端数スイッチ７４、連結台方向表示器７５、カード挿入中表示ランプ７６、カード挿入口７７、スイッチ用キー７８が臨んでいる。そして、その内部構造においては、図１（Ｂ）に示すように、中央よりやや上方にカード処理機７０の動作を制御する制御回路基板ボックス８０が収納固定されている。制御回路基板ボックス８０の内部には、後に説明する図６に示される制御部８０ａが形成された基板が収納されている。また、制御回路基板ボックス８０には、覗き窓８１が形成され、その覗き窓８１から基板のヒューズ８２が視認されるようになっている。また、制御回路基板ボックス８０に収納される基板には、複数のディップスイッチ８３とコネクタ８４〜８６が設けられている。ディップスイッチ８３は、後に説明する図７に示すように操作することにより、各種の設定を行うことができるようになっている。また、コネクタ８４には、ケース７１の背面側に固定されるプリント配線中継基板８８に設けられるコネクタ８９と接続されるハーネス８７が接続されている。プリント配線中継基板８８は、上記基板とパチンコ遊技機１の前記払出制御回路基板ボックス４６に収納される払出制御回路基板や、後述する電源部１２２との接続を中継するものであり、このため、プリント配線中継基板８８には、遊技機等との接続用ハーネス９０を接続するコネクタ９１が設けられている。
【００２０】
また、前記コネクタ８５には、ケース７１の前面側に固定されるプリント配線中継基板９３から延びるハーネス９２が接続される。このプリント配線中継基板９３には、前記端数スイッチ７４、連結台方向表示器７５、カード挿入中表示ランプ７６、及び後述するキースイッチ９８が実装されている。更に、前記コネクタ８６は、後述するカードリードライタ１００と接続されるハーネス９４が接続されている。
【００２１】
上記した制御回路基板ボックス８０の上方には、前記光通信部７２から光信号を出力する光通信器９５が固定され、その光通信器９５とカードリードライタ１００とが光ファイバー９６によって接続されている。また、制御回路基板ボックス８０の下部前方には、投受光方式のキースイッチ９８が設けられるが、このキースイッチ９８は、前記スイッチ用キー７８を操作したときに回転リンク９７ａ、作動リンク９７ｂ、可動リンク９７ｃ、検出片９７ｄを介してＯＮ・ＯＦＦされるものである。しかして、このキースイッチ９８は、電気的なトラブル等によって制御回路の制御に故障が生じたときに、その故障が直って再度制御回路をリセットする場合のリセット信号を導出するものである。
【００２２】
ケース７１のほぼ中程には、カードリードライタ１００が収納固定されている。カードリードライタ１００は、ケース１０１の内部に集約して形成されるものであり、図２に示すように、その前方に前記カード挿入口７７が形成され、その背面であってカード挿入口７７と対向する位置にカード回収口１０２が形成されている。カード回収口１０２は、図１（Ｃ）に示すように、ケース７１の背面側まで貫通している。また、ケース１０１の内部には、カード搬送装置１０３が設けられている。このカード搬送装置１０３は、正逆回転可能な駆動モータ１０４の出力軸１０５に固着されるウォーム歯車１０６と上下方向に回転自在に軸支される駆動軸１０８との端部に固着されるウォームギヤ１０７とを噛合させ、その駆動軸１０８の左右側方に回転自在に軸支される従動軸１１１，１１２と駆動軸１０８との間に搬送ベルト１１３，１１４を掛け渡すことにより構成されている。しかして、駆動モータ１０４が駆動されることによりカード挿入口７７から挿入されるカード１２０を、まず、前方の搬送ベルト１１３によって内部に取り込み（以下、カード取込方向の駆動を正回転といい、逆方向の駆動を逆回転という）、カード１２０を返却する場合には、駆動モータ１０４を逆回転し、カード１２０を回収する場合には、更に正回転する。
【００２３】
また、上記した駆動軸１０８には、押えローラ１０９が固着され、該押えローラ１０９の対面する面には、カード１２０に記録された情報を読み出したり書き込んだりする読取書込部１１０が設けられている（図２で読取書込部１１０が実線で描かれているが、実際には、押えローラ１０９に隠れて見えない）。また、カード挿入口７７とカード回収口１０２との間のカード１２０の搬送位置には、複数のフォトセンサ１１５ａ〜１１５ｇが適宜位置に設けられており、更に、カード挿入口７７に近い下部には、パンチ孔装置１１６が設けられている。フォトセンサ１１５ａ〜１１５ｇは、駆動モータ１０４の駆動開始・停止及びカード１２０の有無を検出するものであり、また、パンチ孔装置１１６は、カード１２０にパンチ孔１２１を穿設するための装置である。上記した駆動モータ１０４、読取書込部１１０、フォトセンサ１１５ａ〜１１５ｇ、パンチ孔装置１１６は、内部に設置されるプリント配線基板１１７に電気的に接続され、そのプリント配線基板１１７に設けられる光用コネクタ１１８及びコネクタ１１９を介して前記光ファイバー９６及びハーネス９４と接続される。
【００２４】
上記のように構成されるカードリードライタ１００は、カード１２０が挿入されたときにフォトセンサ１１５ａでそれを検出して駆動モータ１０４を正回転して搬送ベルト１１３を駆動してカード１２０を内部に取り込み、カード１２０に記録された情報を読取書込部１１０で読み取る。なお、読み取り位置に来たときに駆動モータ１０４の駆動は、停止される。そして、遊技者が前記貸出スイッチ１０を操作したことに基づいて設定された金額に対応する遊技玉が貸し出されたことを確認して消費情報をカード１２０から消去する。また、前記返却スイッチ１２が操作されたときには、駆動モータ１０４を逆回転してカード１２０をカード挿入口７７側に搬送する。一方、カード１２０に記録された情報が「零」となった場合において、ディップスイッチ８３における設定が戻し駆動（排出駆動ともいう）に設定されている場合には、駆動モータ１０４を逆回転してカード１２０をカード挿入口７７側に搬送し、その設定が回収駆動に設定されている場合には、駆動モータ１０４を正回転して搬送ベルト１１３，１１４によってカード１２０をカード回収口１０２側に搬送する。なお、この動作については、後に詳述するが、カードリードライタ１００の構成として、後方位置にある搬送ベルト１１４は、あってもなくても良い。ない場合には、回収されたカードは、カード回収口１０２から飛び出さないが、次に回収されるカードに押されてカード回収口１０２から外に排出されるからである。
【００２５】
図１に戻って、カード処理機７０のケース７１の下部には、電源部１２２が設けられている。この電源部１２２は、前記制御回路基板ボックス８０内の基板等に電源を供給するものであるとともに、当該カード処理機７０の固有番号を設定するＩＤナンバー設定部１２３が設けられている。また、電源部１２２からは電源線１２４及び制御回路接続用ハーネス１２５がケース７１の下部背面に穿設された接続用開口１２６から外に引き出されている。なお、カード処理機７０の背面には、カード処理機７０をパチンコ遊技機１又は遊技機設置島１３０に取り付けるための取付部材１２７が設けられている。
【００２６】
上記したカード処理機７０をカードの回収機構が内設された遊技機設置島１３０に設置した場合には、図３に示すように、カード処理機７０のカード回収口１０２から回収された零カード１３３は、カード回収搬送装置１３１によって島端に設けられる回収ボックス１３２に集められ、その回収ボックス１３２に集められた零カード１３３を遊技場の店員が一括して処理することができる。また、遊技機設置島１３０に上記のようなカード回収搬送装置１３１が設備されていない場合であっても、図４に示すように、カード処理機７０の背面に零カード１３３を回収して収納する回収ボックス１３４を取り付けることにより、零カード１３３を回収することができる。この場合には、設備費がかからない反面、零カード１３３を回収する際に、個々の回収ボックス１３４から零カード１３３を抜き取らなければならず、多少面倒な作業を必要とする。
【００２７】
ところで、前記制御回路基板ボックス８０内に収納される制御部８０ａには、図６のブロック図に示すように、カードリーダライタ１００、光通信部７２、電源部１２２、利用可表示ランプ７３、連結台表示器７５、キースイッチ９８、端数スイッチ７４、カード挿入中表示ランプ７６、打球供給皿６に設けられる度数表示ＬＥＤ１１，ＬＥＤ内蔵の貸出スイッチ１０，返却スイッチ１２、及びパチンコ遊技機１（正確には、払出制御回路基板ボックス４６に収納される払出制御回路基板）にそれぞれ接続されている。特に、制御部８０ａとパチンコ遊技機１との接続においては、接続確認信号（カード処理機７０と遊技機１とが電気的に接続されていないと両方が作動しない）を相互にやり取りし、貸出し要求信号を制御部８０ａから遊技機１に送って景品玉払出装置３６を駆動して遊技玉を払い出すようになっている他、図示しない各種の信号をやり取りしている。また、制御部８０ａに設けられる前記ディップスイッチ８３は、図５の拡大図に示すように、本実施例において、８個のディップスイッチ群から構成されている。
【００２８】
しかして、各ディップスイッチの設定機能は、図７に示すように、デイップスイッチ１〜４（以下、ＤＳＷ１〜４と略称）までが前記貸出スイッチ１０の１回の操作によって消費される金額を設定するものであり、ＤＳＷ１が１００円、ＤＳＷ２が２００円、ＤＳＷ３が４００円、ＤＳＷ４が８００円とされ、図示のようにＤＳＷ１，２がＯＮでＤＳＷ３，４がＯＦＦの場合には、１００＋２００＝３００円が設定されることになる。したがって、図示の場合には、最高１５００円まで設定することが可能となっている。ただし、一定額（例えば、５００円又は１０００円）を超える設定がなされている場合において、その超えた分については、ソフト処理的に無効としても良い。ＤＳＷ５は、零カードを回収するか返却するかを選択するためのものであり、ＯＮした場合には、カード搬送装置１０３を回収動作させ、ＯＦＦした場合には、戻し動作（排出動作）させるものである。ＤＳＷ６は、カード処理機７０が接続される遊技機がパチンコ遊技機であるのか、あるいはスロットマシンであるのかを選択するためのものであり、接続される遊技機がパチンコ遊技機１である場合には、ＯＮとし、スロットマシンである場合には、ＯＦＦとする。この場合、スロットマシンに設定した場合、前記ＤＳＷ１〜４の設定値が無効とされ、スロットマシンのメダルの貸出金額は、例えば、１０００円に固定される。もちろんＤＳＷ１〜４の設定値によって貸出金額を設定しても良い。ＤＳＷ７は、前記光通信部７２から発する売上げパルス幅を設定するためのものであり、ＯＮの場合には５０で、ＯＦＦの場合には１００が設定される。ＤＳＷ８は、未使用のものである。
【００２９】
上記した制御部８０ａによって制御される動作のうち、カードの排出・回収制御動作について図８を参照して説明すると、ステップ１０においてカード挿入有か否かが判別され、挿入されていなければ、カード排出・回収サブルーチンは終了し、挿入されていれば、ステップ２０でカードの残額が「０」か否かが判別される。カード残額が「０」でなければ、カード排出・回収サブルーチンは終了し、「０」であれば、ステップ３０でＤＳＷ５が「ＯＮ」か否かが判別される。ＤＳＷ５がＯＮであるときには、ステップ４０でカードの回収を図るべくカード搬送装置１０３が正回転を開始し、ステップ５０でカードの回収が完了したと判別されると、ステップ８０でカード搬送装置１０３の動作が停止される。一方、ＤＳＷ５がＯＦＦであるときには、ステップ６０でカードの返却を図るべくカード搬送装置１０３が逆回転を開始し、ステップ７０でカードの返却が完了したと判別されると、ステップ８０でカード搬送装置１０３の動作が停止される。
【００３０】
このように、本実施例においては、読取書込部１１０で読み取られた情報が零となったときに、カード搬送装置１０３が戻し動作又は回収動作のいずれか一方を実行するようにディップスイッチ８３のＤＳＷ５で選択できるので、ＤＳＷ５により戻し動作が選択されている場合には、零カードが遊技者に返却され、一方、ＤＳＷ５により回収動作が選択されている場合には、零カードが回収される。したがって、いずれの方式のカード処理機にも適用することができる。なお、戻し動作又は回収動作の選択は、ＤＳＷ５の操作ではなく、例えば、前記カード回収口１０２が閉塞されているか否かを検出して、その検出信号に基づいていずれかを選択するように構成しても良い。
【００３１】
なお、前記制御部８０ａによって制御される動作のうち、度数表示ＬＥＤ１１の表示動作が図９に示されているので、これについて簡単に説明する。図９（Ａ）に示す度数表示ＬＥＤ１１は、３つのセグメント表示器（ドット表示器でも良い）によって構成されている。そして、まず、図９（Ｂ）に示すように、電源投入時には、中継器設定アドレス（前記ＩＤナンバー設定部１２３によって設定されたＩＤナンバー）が表示され、次いで前記ＤＳＷ１〜４で設定した貸出金額が表示され、更に、前記ＤＳＷ７で設定した売上げ幅パルスの設定値が表示される。図９（Ｃ）に示すように、カード挿入時には、挿入されたカードに記録される残高が表示される。図９（Ｄ）に示すように、貸出スイッチ１０が押下操作されたときに、カード残高が点灯表示され、次いで設定値（例えば、３００円）のうちの単位金額（１００円）毎の減算額が点滅表示されて、最終的に貸出後のカード残高が点灯表示される。図９（Ｅ）に示すように、エラーの発生時には、カード残高とエラーの種類によって決められたエラーコードが交互に点灯表示される。図９（Ｆ）に示すように、端数スイッチ７４を１回押下操作すると、表示の種類を予告するＦ１〜Ｆ４が順次表示されると共に各予告表示の次に種類に応じた数値が点灯表示される。具体的には、Ｆ１の次には、端数値が表示され、Ｆ２の次には、カード残高が表示され、Ｆ３の次には、挿入時のカード残高が表示され、Ｆ４の次には、貸出前のカード残高が表示される。図９（Ｇ）に示すように、端数スイッチ７４を２回連続して押下操作すると、表示の種類を予告するＦ５〜Ｆ８が順次表示されると共に各予告表示の次に種類に応じた数値が点灯表示される。具体的には、Ｆ５の次には、エラーコードの内容が表示され、Ｆ６の次には、ＩＤ番号の設定値が表示され、Ｆ７の次には、売上げパルス幅の設定値が表示され、Ｆ８の次には、貸出金額の設定値が表示される。
【００３２】
以上説明した実施例では、カード処理機７０をパチンコ遊技機１に対応したものを示したが、図１５に示すように、カード処理機７０をスロットマシン１４０に対応させても良い。このスロットマシン１４０について簡単に説明すると、周知のように、スロットマシン１４０は、所定数のメダルをメダル投入口１４２から投入した状態で操作レバー１４３を操作して複数（３つ）の回転ドラム１４１を回転開始させ、その後、各回転ドラム１４１にそれぞれ対応したストップボタン１４４を操作することにより、回転ドラム１４１を停止させ、当りライン上に並んだ図柄の組合せが当り図柄の組合せであるときに、その当り価値に対応したメダルがメダル受皿１４５に放出されるものである。なお、図示におけるスロットマシン１４０には、メダル投入口１４２にメダルを連続投入（例えば、５０枚まで）するか否かを選択するクレジット選択ボタン１４９と、そのクレジットを選択したときに１回の遊技で投入するメダル数を選択するＢＥＴボタン１５０と、遊技において大当り図柄によって生じたボーナスゲーム（短期間にメダルを多量に獲得することのできるチャンスが複数回与えられる）の回数を表示するボーナス回数表示器１５１と、当りによって払い出されるメダル数を表示する払出枚数表示器１５２と、クレジット選択時における連続投入したメダル数を表示するクレジット枚数表示器１５３と、クレジットを選択しないときにメダル投入口１４２に投入したメダル数（最高３個まで）を表示するメダル投入枚数表示器１５４が設けられている。
【００３３】
更に、本実施例におけるスロットマシン１４０においては、遊技に際し、カード処理機７０のカード挿入口７７に挿入したカードによって遊技媒体としてのメダルを借り受けるために、前記実施例と同様な貸出スイッチ１４６、返却スイッチ１４７、及び度数表示ＬＥＤ１４８がその前面に設けられている。しかして、カードをカード処理機７０に挿入した状態で、遊技者が貸出スイッチ１４６を操作したときには、設定された金額（例えば、１０００円）に相当するメダルがメダル受皿１４５に自動的に払い出される。そして、カード処理機７０に投入されたカードの価値が零となったときには、前記実施例と同様にディップスイッチ８３のＤＳＷ５の設定によって零カードが返却されたり、回収されたりする。なお、返却スイッチ１４７、度数表示ＬＥＤ１４８の機能は、前記実施例と全く同じである。
【００３４】
以上、実施例に係るカード処理機７０の構成及び作用について説明してきたが、本実施例によれば、読取書込部１１０で読み取られた情報が零となったときに、カード搬送装置１０３が戻し動作又は回収動作のいずれか一方を実行するようにディップスイッチ８３のＤＳＷ５で選択できるので、ＤＳＷ５により戻し動作が選択されている場合には、零カードが遊技者に返却され、一方、ＤＳＷ５により回収動作が選択されている場合には、零カードが回収される。したがって、いずれの方式のカード処理機にも適用することができる。
【００３５】
なお、上記した実施例では、遊技価値としてのパチンコ玉やメダルがパチンコ遊技機又はスロットマシン等に設けられる景品玉払出装置又はメダル払出装置によって払い出されるものについて説明したが、カード処理機自体にパチンコ玉又はメダルを払い出す機能を備えさせたものでも良いし、逆にカード処理機自体がパチンコ遊技機やスロットマシンに内蔵されたものでも良い。また、カードに記録された情報を直接パチンコ玉やメダル等の遊技価値に交換するものではなく、情報を得点に変換し、その後、その得点をパチンコ玉やメダルに変換し、又は変換することなく得点をそのまま使用するものでも良い。また、カード処理機で処理するカードの種類も、全国共通のプリペイドカードだけでなく、遊技場固有のハウスカードも兼用して使用できるものであってもよい。更に、従来と同様に硬貨を投入する投入口が併用されたカード処理機であっても良い。
【００３６】
【発明の効果】
以上、説明したところから明らかなように、本発明においては、カード回収口が閉塞されているか否かを検出する回収口検出手段の検出信号に基づいて、カード回収口が閉塞されているときには戻し動作を選択し、カード回収口が閉塞されていないときには回収動作を選択する搬送モード選択手段を設けたので、カード回収口が閉塞されている場合には、零カードが遊技者に返却され、一方、カード回収口が閉塞されていない場合には、零カードが回収される。したがって、いずれの方式のカード処理機にも適用することができる。また、遊技機選択手段で選択された遊技機がパチンコ遊技機である場合に、金額設定手段により設定された金額に対応する遊技価値を貸与することができ、遊技機選択手段で選択された遊技機がスロットマシンである場合に、金額設定手段により設定された金額を無効として予め固定の金額に対応する遊技価値を貸与することができる。更に、内部に残存するカードの回収する場合、当該カードの次に回収動作されるカードに押されて当該カードをカード回収口から排出させることができる。
【図面の簡単な説明】
【図１】実施例に係るカード処理機の正面図、内部構造を示す側面図、背面図である。
【図２】カード処理機内部に設けられるカードリードライタの内部構造を示す側面図である。
【図３】カード処理機を遊技機設置島に設置して零カードを回収する構造を説明する斜視図である。
【図４】カード処理機の背面に零カードを回収する回収ボックスを取り付けた状態を示す側面図である。
【図５】カード処理機の動作を制御する制御回路基板が収納される基板ボックスの平面図である。
【図６】カード処理機の動作を制御する制御回路のブロック図である。
【図７】各種の設定を行うディップスイッチの機能を説明する説明図である。
【図８】カード処理機のカード返却・回収動作を示すフロー図である。
【図９】度数表示ＬＥＤの表示動作を説明する説明図である。
【図１０】遊技機の一例としてのパチンコ遊技機の正面図である。
【図１１】パチンコ遊技機の背面に設けられる機構板の背面図である。
【図１２】機構板に設けられる景品玉払出装置の分解斜視図である。
【図１３】景品玉払出装置の側方断面図である。
【図１４】景品玉払出装置の正面断面図である。
【図１５】遊技機の一例としてのスロットマシンの正面図である。
【符号の説明】
１  パチンコ遊技機（遊技機）
３０  機構板
３６  景品玉払出装置
４６  払出制御回路基板ボックス
７０  カード処理機
７１  ケース
７２  光通信部
７３  利用可表示ランプ
７４  端数スイッチ
７５  連結台方向表示器
７６  カード挿入中表示ランプ
７７  カード挿入口
７８  スイッチ用キー
８０  制御回路基板ボックス
８３  ディップスイッチ
１００  カードリードライタ
１０１  ケース
１０２  カード回収口
１０３  カード搬送装置
１０４  駆動モータ
１０８  駆動軸
１０９  押えローラ
１１０  読取書込部
１１１  従動軸
１１２  従動軸
１１３  搬送ベルト
１１４  搬送ベルト
１１５ａ〜１１５ｇ  フォトセンサ
１３０  遊技機設置島
１３１  カード回収搬送装置
１３２  回収ボックス
１３３  零カード
１３４  回収ボックス
１４０  スロットマシン（遊技機）
【図１】
0003740177.tif 000002
【図２】
0003740177.tif 000003
【図３】
0003740177.tif 000004
【図４】
0003740177.tif 000005
【図５】
0003740177.tif 000006
【図６】
0003740177.tif 000007
【図７】
0003740177.tif 000008
【図８】
0003740177.tif 000009
【図９】
0003740177.tif 000010
【図１０】
0003740177.tif 000011
【図１１】
0003740177.tif 000012
【図１２】
0003740177.tif 000013
【図１３】
0003740177.tif 000014
【図１４】
0003740177.tif 000015
【図１５】
0003740177.tif 000016